(57)【要約】      （修正有）【課題】スタイラスペン等の入力デバイスを装置本体に収納する際に、入力デバイスを収納する動作と別の動作を行うことなく、装置に対して多様な動作モードを設定可能な情報処理装置の提供。【解決手段】スタイラスペンが装置に固定（収納）されたことを検出し（Ｓ１０）、収納場所（Ｓ２０）とペンの向きに応じて（Ｓ３０，Ｓ４０）、省電力モードの深さの設定、あるいはデジタイザ入力を一時的にＯＦＦにする等、装置の動作モードを切替える。【選択図】図６
2011170521.tif 000002
【特許請求の範囲】
【請求項１】
装置本体及び該装置本体に情報を入力するための入力デバイスを備えた情報処理装置であって、
前記装置本体は、
前記入力デバイスを保持可能な第１の保持部と、
該第１の保持部によって前記入力デバイスが保持された保持状態を検出する第１の検出手段と、
該第１の検出手段によって検出された保持状態に応じて、前記装置本体の動作モードを選択する動作モード選択手段と
を備えることを特徴とする情報処理装置。
【請求項２】
前記装置本体は、
前記入力デバイスを保持可能な第２の保持部と、
該第２の保持部によって前記入力デバイスが保持された保持状態を検出する第２の検出手段と
を更に備え、
前記動作モード選択手段は、前記入力デバイスが前記第１の保持部によって保持されていることが前記第１の検出手段によって検出された場合と、前記入力デバイスが前記第２の保持部によって保持されていることが前記第２の検出手段によって検出された場合とで異なる動作モードを前記装置本体の動作モードとして選択する
ことを特徴とする請求項１に記載の情報処理装置。
【請求項３】
前記装置本体は、
前記動作モード選択手段が前記装置本体の動作モードとして選択可能な動作モードを設定する選択用動作モード設定手段を更に備えることを特徴とする請求項１又は２に記載の情報処理装置。
【請求項４】
前記装置本体は、
前記入力デバイスが前記装置本体に対応するものであるか否かを判定する判定手段を更に備え、
前記動作モード選択手段は、前記判定手段によって前記入力デバイスが前記装置本体に対応するものであると判定された場合のみに、前記装置本体の動作モードを選択する
ことを特徴とする請求項１から３のいずれか一項に記載の情報処理装置。
【発明の詳細な説明】
【技術分野】
【０００１】
本発明は、情報処理装置の技術分野に関する。
【背景技術】
【０００２】
この種の情報処理装置として、スタイラスペン（以下、単に「ペン」と適宜称する）によって装置本体に情報を入力するものが知られている（例えば特許文献１から３参照）。
【０００３】
例えば特許文献１には、ペンが装置本体であるコンピューターの一部に格納されると、コンピューターの電源を切りの状態とし、ペンが取り外されると、コンピューターの電源を入りの状態とする技術が開示されている。例えば特許文献２には、装置本体に設けられたペン収納部にペンが収納された際のペンの回転状態に基づいて電源の制御を行う技術が開示されている。例えば特許文献３には、装置本体に、ペンを格納するためのペンホルダーを複数設け、ペンが複数のペンホルダー（収納場所）のいずれに格納されたか（或いは、いずれから抜き去られたか）に応じて電力供給状態を制御する技術が開示されている。
【先行技術文献】
【特許文献】
【０００４】
【特許文献１】特開平６−５９７９７号公報
【特許文献２】特開平１１−６６０１１号公報
【特許文献３】特開２００２−２３９５３号公報
【発明の概要】
【発明が解決しようとする課題】
【０００５】
しかしながら、上述した特許文献１に開示された技術によれば、ペンが装置本体に収納されると、装置本体の電源が切れてしまうため、ユーザー（使用者）は装置本体の電源を切りたくないときには、ペンを装置本体に収納することができないという技術的問題点がある。また、上述した特許文献２に開示された技術によれば、ユーザーは、ペンを装置本体に収納する際、電源の制御を行うためにペンを回転させる必要があり、ユーザーの手間が増大してしまうという技術的問題点がある。また、上述した特許文献３に開示された技術によれば、制御する電力供給状態の数を増やすためには、その数に応じてペンホルダーの数を増やす必要があるため、装置本体の小型化が困難になったり、装置本体のデザイン性に悪影響を及ぼしてしまうおそれがあるという技術的問題点がある。
【０００６】
本発明は、例えば上述した問題点に鑑みなされたものであり、例えば、ユーザーが、例えばスタイラスペン等の入力デバイスを装置本体に固定する際に、入力デバイスを固定する動作とは別の動作を行うことなく、装置本体の動作モードを選択でき、且つ、多様な動作モードを設定可能な情報処理装置を提供することを課題とする。
【課題を解決するための手段】
【０００７】
本発明の情報処理装置は上記課題を解決するために、装置本体及び該装置本体に情報を入力するための入力デバイスを備えた情報処理装置であって、前記装置本体は、前記入力デバイスを保持可能な第１の保持部と、該第１の保持部によって前記入力デバイスが保持された保持状態を検出する第１の検出手段と、該第１の検出手段によって検出された保持状態に応じて、前記装置本体の動作モードを選択する動作モード選択手段とを備える。
【０００８】
本発明の情報処理装置によれば、例えば表示部及び該表示部における例えばスタイラスペン等である入力デバイスの位置を検出可能な例えばデジタイザー等の位置検出手段を有する装置本体に、入力デバイスによって情報を入力することができる。
【０００９】
装置本体は、ユーザーが入力デバイスを使用しないときに、入力デバイスを保持するための第１の保持部を備えている。第１の保持部は、例えば装置本体の筐体に設けられ、入力デバイスを保持することが可能に構成される。
【００１０】
本発明では特に、第１の保持部による入力デバイスの保持状態が第１の検出手段によって検出される。ここで、第１の検出手段は、入力デバイスの保持状態として、例えば、入力デバイスが第１の保持部によって保持された際の、入力デバイスの向きや回転状態を検出する。更に、第１の検出手段によって検出された保持状態に応じて、装置本体の動作モードが動作モード選択手段によって選択される。動作モード選択手段によって選択される動作モードとしては、例えば、装置本体の現在の状態を維持する動作モード、デジタイザーの電源を遮断する動作モード、デジタイザー及び表示部の電源を遮断する動作モード、デジタイザー及び表示部の電源を遮断すると共に、装置本体のメインＣＰＵ（Central Processing Unit：中央処理装置）をスリープ状態にする動作モードなどが設定されてもよい。
【００１１】
尚、入力デバイスがユーザーによって第１の保持部から取り上げられ、入力デバイスが第１の保持部によって保持されない状態となった場合には、動作モード選択手段によって選択された動作モードが解除され、装置本体は予め定められた通常の状態に戻ってもよい。また、動作モード選択手段によって選択される動作モードは、先に例示した動作モードに限定されず、他の動作モードが設定されてもよい。
【００１２】
よって、入力デバイスの保持状態に対して装置本体の動作モードを割り当てることができる。即ち、入力デバイスの複数の保持状態の各々に対して装置本体の動作モードを１つずつ割り当てることができる。従って、ユーザーが入力デバイスを装置本体に固定する際に（言い換えれば、入力デバイスが第１の保持部によって保持される際に）、ユーザーは入力デバイスを装置本体に固定する動作とは別の動作を行うことなく、装置本体の動作モードを選択することができる。更に、第１の検出手段によって検出可能な入力デバイスの保持状態を増やすことにより、該保持状態に応じて、装置本体の動作モードとして多様な動作モードを設定することができる。
【００１３】
以上説明したように、本発明の情報処理装置によれば、例えば、ユーザーが、例えばスタイラスペン等の入力デバイスを装置本体に固定する際に、入力デバイスを固定する動作とは別の動作を行うことなく、装置本体の動作モードを選択でき、且つ、多様な動作モードを設定することができる。
【００１４】
本発明の情報処理装置の一態様では、前記装置本体は、前記入力デバイスを保持可能な第２の保持部と、該第２の保持部によって前記入力デバイスが保持された保持状態を検出する第２の検出手段とを更に備え、前記動作モード選択手段は、前記入力デバイスが前記第１の保持部によって保持されていることが前記第１の検出手段によって検出された場合と、前記入力デバイスが前記第２の保持部によって保持されていることが前記第２の検出手段によって検出された場合とで異なる動作モードを前記装置本体の動作モードとして選択する。
【００１５】
この態様によれば、入力デバイスが第１の保持部によって保持されている場合と、入力デバイスが第２の保持部によって保持されている場合とで異なる動作モードが動作モード選択手段よって選択される。よって、装置本体の動作モードとして、より多様な動作モードを設定することができる。
【００１６】
本発明の情報処理装置の他の態様では、前記装置本体は、前記動作モード選択手段が前記装置本体の動作モードとして選択可能な動作モードを設定する選択用動作モード設定手段を更に備える。
【００１７】
この態様によれば、ユーザーは、選択用動作モード設定手段によって、入力デバイスの保持状態に応じて選択可能な動作モードを割り当てることができる。即ち、入力デバイスがどのような保持状態である場合に、装置本体の動作モードとしてどのような動作モードが選択されるべきかをユーザーが設定することができる。従って、ユーザーの利便性を向上させることができ、実践上大変便利である。
【００１８】
本発明の情報処理装置の他の態様では、前記装置本体は、前記入力デバイスが前記装置本体に対応するものであるか否かを判定する判定手段を更に備え、前記動作モード選択手段は、前記判定手段によって前記入力デバイスが前記装置本体に対応するものであると判定された場合のみに、前記装置本体の動作モードを選択する。
【００１９】
この態様によれば、動作モード選択手段は、入力デバイスが装置本体に対応するものであると判定手段が例えばＲＦＩＤ（Radio Frequency Identification）技術により判定した場合のみに、装置本体の動作モードを選択する。よって、例えば、装置本体に対応しない他の入力デバイスなどが第１の保持部によって保持されることにより装置本体の動作モードが誤って切り替わってしまうことを低減或いは防止できる。
【００２０】
本発明の作用及び他の利得は次に説明する発明を実施するための形態から明らかにされる。
【図面の簡単な説明】
【００２１】
【図１】第１実施形態に係る情報処理装置の全体構成を示す斜視図である。
【図２】スタイラスペンが保持部によって保持された状態の情報処理装置を示す斜視図である。
【図３】第１実施形態に係る情報処理装置の構成を示すブロック図である。
【図４】保持部によってスタイラスペンが保持された保持状態の一例を示す断面図である。
【図５】保持部によってスタイラスペンが保持された保持状態の他の例を示す断面図である。
【図６】スタイラスペンの保持状態に応じた動作モード選択部による動作モードの選択を説明するためのフローチャートである。
【図７】第２実施形態における、保持部によってスタイラスペンが保持された保持状態の一例を示す断面図である。
【図８】第２実施形態における、保持部によってスタイラスペンが保持された保持状態の他の例を示す断面図である。
【発明を実施するための形態】
【００２２】
以下では、本発明の実施形態について図を参照しつつ説明する。
【００２３】
＜第１実施形態＞
第１実施形態に係る情報処理装置について、図１から図６を参照して説明する。尚、以下では、本実施形態に係る情報処理装置の構成及び動作を、方向を用いて適宜説明するが、この方向は、特に説明しない限り、本実施形態に係る情報処理装置を使用するユーザーの視点から見た場合の方向である。
【００２４】
先ず、本実施形態に係る情報処理装置の全体構成について、図１を参照して説明する。
【００２５】
図１は、本実施形態に係る情報処理装置の全体構成を示す斜視図である。
【００２６】
図１において、本実施形態に係る情報処理装置１は、本発明に係る「入力デバイス」の一例としてのスタイラスペン２２０によって装置本体１００に情報を入力することが可能な携帯情報端末（ＰＤＡ：Personal Digital Assistant）である。尚、情報処理装置１は、携帯電話、携帯音楽再生装置、携帯動画再生装置、携帯ナビゲーション装置などであってもよい。
【００２７】
図１において、情報処理装置１は、表示部１１０及び筐体１２０を有する装置本体１００と、スタイラスペン２２０とを備えている。
【００２８】
表示部１１０は、例えば電気泳動表示装置等の表示装置によって構成され、例えば文字や文章などのテキストデータや図形などのイメージデータなど、各種データを表示する。尚、表示部１１０は、例えば、液晶ディスプレイ、プラズマディスプレイ或いは有機ＥＬ（Electro-Luminescence）ディスプレイなどによって構成されてもよい。
【００２９】
図１では図示を省略するが、スタイラスペン２２０の位置や軌跡を検出するデジタイザー本体２１０（図３参照）が表示部１１０に重なるように設けられている。デジタイザー本体２１０が表示部１１０におけるスタイラスペン２２０の位置や軌跡を検出することで、スタイラスペン２２０から装置本体１００に情報を入力することが可能となる。
【００３０】
筐体１２０は、例えば図３を参照して後述するメインＣＰＵ１５０、サブＣＰＵ１６０、電源１７０、外部記憶装置１９０、ＲＡＭ（Random Access Memory）３２０など、情報処理装置１を動作させるための各種ハードウェアを収容する筐体である。筐体１２０は、表示部１１０を外縁側から保持するように設けられている。
【００３１】
スタイラスペン２２０は、デジタイザー本体２１０に対して情報を入力する棒状或いはペン状の入力デバイスである。スタイラスペン２２０は、装置本体１００とは別体で設けられている。情報処理装置１は、スタイラスペン２２０によって入力される情報をデジタイザー本体２１０によって特定し、この特定した情報を、表示部１１０によって表示したり、外部記憶装置１９０に記憶したりする。
【００３２】
筐体１２０の表面には、スタイラスペン２２０を保持するための保持部１３０（即ち、保持部１３０ａ及び保持部１３０ｂ）が設けられている。保持部１３０は、当該保持部１３０上に載置されたスタイラスペン２２０を着脱可能に保持する。尚、保持部１３０ａは本発明に係る「第１の保持部」の一例であり、保持部１３０ｂは本発明に係る「第２の保持部」の一例である。
【００３３】
保持部１３０ａは、筐体１２０の表面において第１の方向（即ち、情報処理装置１の左右方向或いは短手方向）に延びる形状を有している。
【００３４】
図２は、スタイラスペン２２０が保持部１３０ａによって保持された状態の情報処理装置１を示す斜視図である。
【００３５】
図２に示すように、保持部１３０ａは、筐体１２０の表面においてスタイラスペン２２０の軸方向が上述した第１の方向に沿う状態で、スタイラスペン２２０を保持することができる。
【００３６】
図１において、保持部１３０ｂは、筐体１２０の表面において第１の方向に交わる第２の方向（即ち、情報処理装置１の上下方向或いは長手方向）に延びる形状を有している。保持部１３０ｂは、筐体１２０の表面においてスタイラスペン２２０の軸方向が前記第２の方向に沿う状態で、スタイラスペン２２０を保持することができる。
【００３７】
尚、保持部１３０の構成については、図４及び図５を参照して後に詳細に説明する。
【００３８】
図１において、筐体１２０には、キースイッチ１４０が複数設けられている。キースイッチ１４０は、情報処理装置１の電源の入切やページ送りなどの指示を入力するために用いられる。
【００３９】
次に、本実施形態に係る情報処理装置の構成について、図３を参照して説明を加える。
【００４０】
図３は、本実施形態に係る情報処理装置の構成を示すブロック図である。
【００４１】
図３において、情報処理装置１は、メインＣＰＵ１５０、サブＣＰＵ１６０、ＲＯＭ（Read Only Memory）３１０、ＲＡＭ３２０、電源１７０、バッテリー１８０、キースイッチ１４０、外部記憶装置１９０、デジタイザー２００及び表示部１１０を備えている。これらの構成要素はバス９００を介して互いに電気的に接続されている。
【００４２】
メインＣＰＵ１５０は、表示部１１０、デジタイザー本体２１０、ＲＯＭ３１０、ＲＡＭ３２０及び外部記憶装置１９０を制御する。
【００４３】
サブＣＰＵ１６０は、電源１７０、バッテリー１８０及びキースイッチ１４０を制御する。
【００４４】
電源１７０は、デジタイザー本体２１０や表示部１１０などの装置本体１００を構成する各構成要素に電力を供給する。
【００４５】
バッテリー１８０は、例えばニッケル−カドミウム系電池やリチウムイオン系電池などの、充電可能な２次電池である。
【００４６】
ＲＯＭ３１０には、メインＣＰＵ１５０やサブＣＰＵ１６０において動作させる各種動作プログラムが記憶されている。
【００４７】
ＲＡＭ３２０は、メインＣＰＵ１５０やサブＣＰＵ１６０においてプログラムが動作される際にデータを一時的に記憶するワークエリアとなる。また、ＲＡＭ３２０は、表示部１１０において表示させる表示データを一時的に記憶する。
【００４８】
外部記憶装置１９０は、例えばハードディスクであり、表示部１１０において表示させる表示データを記憶する。
【００４９】
デジタイザー２００は、上述したデジタイザー本体２１０及びスタイラスペン２２０からなる。デジタイザー本体２１０が表示部１１０におけるスタイラスペン２２０の位置や軌跡を検出することで、スタイラスペン２２０から装置本体１００に情報を入力することが可能となる。
【００５０】
表示部１１０は、上述したように例えば電気泳動表示装置等の表示装置によって構成されている。表示部１１０は、表示データを表示するディスプレイ１１１と、このディスプレイ１１１を制御するディスプレイコントローラー１１２とを有している。
【００５１】
図３において、本実施形態では特に、情報処理装置１は、本発明に係る「第１の検出手段」の一例としての第１ペン保持状態検出部３３１と、本発明に係る「第２の検出手段」の一例としての第２ペン保持状態検出部３３２と、本発明に係る「動作モード選択手段」の一例としての動作モード選択部３４０とを備えている。
【００５２】
第１ペン保持状態検出部３３１は、保持部１３０ａによってスタイラスペン２２０が保持された保持状態を検出する。
【００５３】
第２ペン保持状態検出部３３２は、保持部１３０ｂによってスタイラスペン２２０が保持された保持状態を検出する。
【００５４】
動作モード選択部３４０は、第１ペン保持状態検出部３３１及び第２ペン保持状態検出部３３２の各々によって検出されたスタイラスペン２２０の保持状態に応じて、装置本体１００の動作モードを選択する。尚、第１ペン保持状態検出部３３１或いは第２ペン保持状態検出部３３２によって検出されるスタイラスペン２２０の保持状態には、スタイラスペン２２０が保持部１３０によって保持されていない状態も含まれる。
【００５５】
ここで、保持部１３０ａ及び第１ペン保持状態検出部３３１の構成について、図４及び図５を参照して説明する。
【００５６】
尚、保持部１３０ｂは、筐体１２０の表面において第２の方向に延びる形状を有する点で、筐体１２０の表面において第１の方向に延びる形状を有する保持部１３０ａと異なり、その他の点については保持部１３０ａと概ね同様に構成されている。第２ペン保持状態検出部３３２は、保持部１３０ｂに対して設けられている点で、保持部１３０ａに対して設けられている第１ペン保持状態検出部３３１と異なり、その他の点については第１ペン保持状態検出部３３１と概ね同様に構成されている。よって、以下では、保持部１３０ａ及び第１ペン保持状態検出部３３１の構成について主に説明し、保持部１３０ｂ及び第２ペン保持状態検出部３３２の構成については説明を適宜省略する。
【００５７】
図４は、保持部１３０ａによってスタイラスペン２２０が保持された保持状態の一例を示す断面図であり、図２のＡ−Ａ’線での断面図である。図５は、保持部１３０ａによってスタイラスペン２２０が保持された保持状態の他の例を示す断面図であり、図４に対応して示されている。
【００５８】
図４において、保持部１３０ａは、筐体１２０の表面の一部が窪んだ凹部１３１ａとして、筐体１２０に設けられている。凹部１３１ａは、筐体１２０の表面において第１の方向（即ち、情報処理装置１の左右方向或いは短手方向）に延びる形状を有している。凹部１３１ａは、スタイラスペン２２０の外形よりも大きい外形を有している。これにより、ユーザーは、保持部１３０ａの凹部１３１ａ内に、スタイラスペン２２０を容易に載置することができる。スタイラスペン２２０が保持部１３０ａに載置された際、スタイラスペン２２０の滑り移動及び転がり移動が、凹部１３１ａの段差によって凹部１３１ａ内に制限される。
【００５９】
スタイラスペン２２０は、磁石２２１及び磁石２２２を有している。磁石２２１は、スタイラスペン２２０の軸方向におけるほぼ中央に設けられている。磁石２２２は、スタイラスペン２２０の軸方向の両端のうち第１の端部に設けられている。磁石２２１及び磁石２２２は、永久磁石であってもよいし、電磁石であってもよい。
【００６０】
保持部１３０ａの凹部１３１ａには、磁性体１３２が設けられている。磁性体１３２は、凹部１３１ａの表面に設けられている。スタイラスペン２２０に設けられた磁石２２１及び磁石２２２と凹部１３１ａに設けられた磁性体１３２との間に働く磁力によって、磁石２２１及び磁石２２２が磁性体１３２に吸着される。このようにして、保持部１３０ａはスタイラスペン２２０を保持することができる。このように、保持部１３０ａが磁性体１３２を有しており、磁性体１３２はスタイラスペン２２０に設けられた磁石２２１及び磁石２２２を吸着するので、保持部１３０ａはスタイラスペン２２０を安定的に保持することができる。
【００６１】
第１ペン保持状態検出部３３１を構成する磁気センサー３３１ａ及び磁気センサー３３１ｂが筐体１２０の内部に設けられている。磁気センサー３３１ａは、凹部１３１ａの第１の方向におけるほぼ中央に設けられている。磁気センサー３３１ｂは、凹部１３１ａの第１の方向の両端のうち第１の端部に設けられている。スタイラスペン２２０が保持部１３０ａに保持されると、磁気センサー３３１ａがスタイラスペン２２０に設けられた磁石２２１による磁場を検出し、磁気センサー３３１ｂが、スタイラスペン２２０に設けられた磁石２２２による磁場を検出することができるため、第１ペン保持状態検出部３３１は、保持部１３０ａによるスタイラスペン２２０の保持状態（より具体的には、スタイラスペン２２０の凹部１３１ａ内における向き、即ち、スタイラスペン２２０の第１の端部が、凹部１３１ａの両端のうちいずれの端側に位置するか）を検出することができる。
【００６２】
具体的には、図４に示す例では、磁石２２１による磁場が磁気センサー３３１ａによって検出され、磁石２２２による磁場が磁気センサー３３１ｂによって検出されることにより、第１ペン保持状態検出部３３１は、スタイラスペン２２０の第１の端部が、凹部１３１ａの第１の端部側（即ち、図４における右側）になるように、スタイラスペン２２０が保持部１３０ａによって保持されている保持状態を検出する。尚、以下では、図４に示すようなスタイラスペン２２０の第２の端部である先端が凹部１３１ａの左端側に位置する保持状態を「スタイラスペン２２０の向きが左向きである」と適宜称する。即ち、第１ペン保持状態検出部３３１は、磁石２２１による磁場が磁気センサー３３１ａによって検出され、かつ磁石２２２による磁場が磁気センサー３３１ｂによって検出される場合には、保持状態として、スタイラスペン２２０の向きが左向きであることを検出する。
【００６３】
一方、図５に示す例では、磁石２２１による磁場が磁気センサー３３１ａによって検出されるが、磁石２２２による磁場は磁気センサー３３１ｂによって検出されないことにより、第１ペン保持状態検出部３３１は、スタイラスペン２２０の第１の端部が、凹部１３１ａの第２の端部側（即ち、図５における左側）になるように、スタイラスペン２２０が保持部１３０ａによって保持されている保持状態を検出する。尚、以下では、図５に示すようなスタイラスペン２２０の先端が凹部１３１ａの右端側に位置するスタイラスペン２２０の保持状態を「スタイラスペン２２０の向きが右向きである」と適宜称する。即ち、第１ペン保持状態検出部３３１は、磁石２２１による磁場が磁気センサー３３１ａによって検出されるが、磁石２２２による磁場は磁気センサー３３１ｂによって検出されない場合には、保持状態として、スタイラスペン２２０の向きが右向きであることを検出する。
【００６４】
尚、スタイラスペン２２０が凹部１３１ｂに保持され、スタイラスペン２２０の先端が凹部１３１ｂの図１における上端側となる保持状態を「スタイラスペン２２０の向きが上向きである」と適宜称し、スタイラスペン２２０の先端が凹部１３１ｂの図１における下端側となる保持状態を「スタイラスペン２２０の向きが下向きである」と適宜称する。第２ペン保持状態検出部３３２は、第１ペン保持状態検出部３３１と概ね同様に構成されており、保持状態として、スタイラスペン２２０の向きが上向きであることやスタイラスペン２２０の向きが下向きであることを検出することができる。また、第１ペン保持状態検出部３３１は、磁石２２１による磁場が磁気センサー３３１ａによって検出されず、磁石２２２による磁場が磁気センサー３３１ｂによって検出されない場合には、保持状態として、スタイラスペン２２０が保持部１３０ａによって保持されていないことを検出する。
【００６５】
図４及び図５において、動作モード選択部３４０は、筐体１２０の内部に電子回路として設けられている。動作モード選択部３４０は、上述したように、第１ペン保持状態検出部３３１及び第２ペン保持状態検出部３３２の各々によって検出されたスタイラスペン２２０の保持状態に応じて、装置本体１００の動作モードを選択する。
【００６６】
次に、スタイラスペン２２０の保持状態に応じた動作モード選択部３４０による動作モードの選択について、図６を参照して説明する。
【００６７】
図６は、スタイラスペン２２０の保持状態に応じた動作モード選択部３４０による動作モードの選択を説明するためのフローチャートである。
【００６８】
ここでは、動作モード選択部３４０によって選択される動作モードとして、装置本体１００（図１参照）の現在の状態を維持する第１の動作モード、デジタイザー本体２１０（図３参照）の電源を遮断する第２の動作モード、デジタイザー本体２１０及び表示部１１０の電源を遮断する第３の動作モード、デジタイザー本体２１０及び表示部１１０の電源を遮断すると共に、メインＣＰＵ１５０をスリープ状態にする第４の動作モードが設定されている場合を例にとる。尚、動作モード選択部３４０によって選択される動作モードは、ここで例にとる第１から第４の動作モードに限定されず、他の動作モードが設定されてもよい。
【００６９】
尚、上述した第１の動作モードは、例えば、ユーザーが表示部１１０における表示を見ながら、スタイラスペン２２０によって情報を入力したり、キースイッチ１４０によってページを変更したりする場合に適している。上述した第２の動作モードは、例えば、ユーザーが、スタイラスペン２２０による情報の入力を行わずに、表示部１１０における表示を見ながら、キースイッチ１４０によってページを変更する場合に適している。上述した第３の動作モードは、例えば、ユーザーが、スタイラスペン２２０による情報の入力もキースイッチ１４０によるページの変更も行わずに、現在の表示部１１０における表示を見続ける場合に適している。上述した第４の動作モードは、例えば、ユーザーが、情報処理装置１をしばらく使用しない場合に適している。
【００７０】
図６において、先ず、スタイラスペン２２０が保持部１３０ａ及び保持部１３０ｂのいずれかによって保持されたか否かが動作モード選択部３４０によって判定される（ステップＳ１０）。即ち、動作モード選択部３４０は、第１ペン保持状態検出部３３１によって検出された保持状態と第２ペン保持状態検出部３３２によって検出された保持状態とに基づいて、スタイラスペン２２０が保持部１３０ａ及び保持部１３０ｂのいずれかに保持されたか否かを判定する。
【００７１】
スタイラスペン２２０が保持部１３０ａ及び保持部１３０ｂのいずれによっても保持されていないと判定された場合には（ステップＳ１０：Ｎｏ）、再びステップＳ１０に係る処理が行われる。
【００７２】
スタイラスペン２２０が保持部１３０ａ及び保持部１３０ｂのいずれかによって保持されたと判定された場合には（ステップＳ１０：Ｙｅｓ）、スタイラスペン２２０が保持部１３０ａによって保持されているか否かが動作モード選択部３４０によって判定される（ステップＳ２０）。
【００７３】
スタイラスペン２２０が保持部１３０ａによって保持されていると判定された場合には（ステップＳ２０：Ｙｅｓ）、スタイラスペン２２０の向きが右向きであるか否かが動作モード選択部３４０によって判定される（ステップＳ３０）。即ち、この場合には（ステップＳ２０：Ｙｅｓ）、動作モード選択部３４０は、保持状態としてスタイラスペン２２０が右向きであることが第１ペン保持状態検出部３３１によって検出されたか否かを判定する。
【００７４】
スタイラスペン２２０が右向きであると判定された場合には（ステップＳ３０：Ｙｅｓ）、動作モード選択部３４０によって装置本体１００の動作モードとして上述した第４の動作モードが選択され、装置本体１００では、後述するステップＳ１１１からＳ１１４に係る処理が行われる。
【００７５】
即ち、この場合には（ステップＳ３０：Ｙｅｓ）、先ず、表示部１１０での表示が消去される（ステップＳ１１１）。次に、デジタイザー本体２１０の電源が遮断される（ステップＳ１１２）。次に、表示部１１０の電源が遮断される（ステップＳ１１３）。次に、メインＣＰＵがスリープ状態にされる（ステップＳ１１４）。
【００７６】
このように、スタイラスペン２２０が右向きであると判定された場合には（ステップＳ３０：Ｙｅｓ）、装置本体１００では上述した第４の動作モードが実行される。
【００７７】
スタイラスペン２２０が右向きでない（即ち、スタイラスペン２２０が左向きである）と判定された場合には（ステップＳ３０：Ｎｏ）、動作モード選択部３４０によって装置本体１００の動作モードとして上述した第３の動作モードが選択され、装置本体１００では、後述するステップＳ１２１及びＳ１２２に係る処理が行われる。
【００７８】
即ち、この場合には（ステップＳ３０：Ｎｏ）、先ず、デジタイザー本体２１０の電源が遮断される（ステップＳ１２１）。次に、表示部１１０の電源が遮断される（ステップＳ１２２）。
【００７９】
このように、スタイラスペン２２０が左向きであると判定された場合には（ステップＳ３０：Ｎｏ）、装置本体１００では上述した第３の動作モードが実行される。
【００８０】
スタイラスペン２２０が保持部１３０ａによって保持されていない（即ち、スタイラスペン２２０が保持部１３０ｂによって保持されている）と判定された場合には（ステップＳ２０：Ｎｏ）、スタイラスペン２２０の向きが下向きであるか否かが動作モード選択部３４０によって判定される（ステップＳ４０）。即ち、この場合には（ステップＳ２０：Ｎｏ）、動作モード選択部３４０は、保持状態としてスタイラスペン２２０が下向きであることが第２ペン保持状態検出部３３２によって検出されたか否かを判定する。
【００８１】
スタイラスペン２２０が下向きであると判定された場合には（ステップＳ４０：Ｙｅｓ）、動作モード選択部３４０によって装置本体１００の動作モードとして上述した第２の動作モードが選択され、装置本体１００では、デジタイザー本体２１０の電源が遮断される（ステップＳ１３１）。
【００８２】
このように、スタイラスペン２２０が下向きであると判定された場合には（ステップＳ４０：Ｙｅｓ）、装置本体１００では上述した第２の動作モードが実行される。
【００８３】
スタイラスペン２２０が下向きでない（即ち、スタイラスペン２２０が上向きである）と判定された場合には（ステップＳ４０：Ｎｏ）、動作モード選択部３４０によって装置本体１００の動作モードとして上述した第１の動作モードが選択され、装置本体１００では、現在の状態が維持される。
【００８４】
このように、スタイラスペン２２０が上向きであると判定された場合には（ステップＳ４０：Ｎｏ）、装置本体１００では上述した第１の動作モードが実行される。
【００８５】
以上のように、本実施形態に係る情報処理装置１によれば、スタイラスペン２２０の保持状態（即ち、スタイラスペン２２０が保持部１３０ａ及び保持部１３０ｂのいずれによって保持されたか及びスタイラスペン２２０の向き）に応じて、装置本体１００の動作モードが選択される。よって、スタイラスペン２２０の保持状態に対して装置本体１００の４種類の動作モードを割り当てることができる。即ち、スタイラスペン２２０の複数の保持状態の各々に対して装置本体１００の動作モードを１つずつ割り当てることができる。従って、ユーザーがスタイラスペン２２０を装置本体１００に固定する際に（言い換えれば、スタイラスペン２２０が保持部１３０ａ又は保持部１３０ｂによって保持される際に）、ユーザーはスタイラスペン２２０を装置本体１００に固定する動作とは別の動作を行うことなく、装置本体１００の動作モードを選択することができる。更に、第１ペン保持状態検出部３３１及び第２ペン保持状態検出部３３２によって検出されるスタイラスペン２２０の保持状態に応じて、装置本体１００の動作モードとして多様な動作モードを設定することができる。
【００８６】
図３において、本実施形態では特に、情報処理装置１は、本発明に係る「選択用動作モード設定手段」の一例としての選択用動作モード設定部３５０を備えている。選択用動作モード設定部３５０は、動作モード選択部３４０が装置本体１００の動作モードとして選択可能な動作モードを、ユーザーから入力される指示に応じて設定する。よって、ユーザーは、選択用動作モード設定部３５０によって、スタイラスペン２２０の保持状態に応じて選択可能な動作モードを割り当てることができる。即ち、スタイラスペン２２０がどのような保持状態である場合に、装置本体１００の動作モードとしてどのような動作モードが選択されるべきかをユーザーが設定することができる。従って、ユーザーの利便性を向上させることができ、実践上大変便利である。
【００８７】
図３において、本実施形態では特に、情報処理装置１は、本発明に係る「判定手段」の一例としてのペン判定部３６０を備えている。ペン判定部３６０は、スタイラスペン２２０が装置本体１００に対応するものであるか否かをＲＦＩＤ技術により判定する。尚、スタイラスペン２２０には、識別情報を示すＩＣ（integrated circuit）タグが設けられている。動作モード選択部３４０は、ペン判定部３６０によってスタイラスペン２２０が装置本体１００に対応するものであると判定された場合のみに、装置本体１００の動作モードを選択する。よって、例えば、装置本体１００に対応しない他のスタイラスペンなどが保持部１３０ａ或いは１３０ｂによって保持されることにより装置本体１００の動作モードが誤って切り替わってしまうことを低減或いは防止できる。
【００８８】
以上説明したように、本実施形態に係る情報処理装置１によれば、例えば、ユーザーが、スタイラスペン２２０を装置本体１００に固定する際に、スタイラスペン２２０を固定する動作とは別の動作を行うことなく、装置本体１００の動作モードを選択でき、且つ、多様な動作モードを設定することができる。
【００８９】
＜第２実施形態＞
次に、第２実施形態に係る情報処理装置について、図７及び図８を参照して説明する。
【００９０】
図７は、第２実施形態における、保持部によってスタイラスペンが保持された保持状態の一例を示す断面図であり、図８は、第２実施形態における、保持部によってスタイラスペンが保持された保持状態の他の例を示す断面図である。尚、図７及び図８は、図４に対応して示されている。また、図７及び図８において、図１から図５に示した第１実施形態に係る構成要素と同様の構成要素に同一の参照符合を付し、それらの説明は適宜省略する。
【００９１】
第２実施形態に係る情報処理装置は、保持部１３０ａ及び保持部１３０ｂ並びに第１ペン保持状態検出部３３１及び第２ペン保持状態検出部３３２の構成が上述した第１実施形態に係る情報処理装置と異なる。
【００９２】
図７及び図８において、保持部１３０ａは、凹部１３１ａ内に、スタイラスペン２２０が有するクリップ２２５に対応する形状の切欠部１３５を有している。切欠部１３５の底部には開口部が形成されている。筐体１２０の内部には、第１ペン保持状態検出部３３１を構成するスイッチ３３１ｃが設けられている。スイッチ３３１ｃは、ボタン３３１ｃｂを有している。ボタン３３１ｃｂは、切欠部１３５の底部に形成された開口部から切欠部１３５の内部に突出するように設けられている。
【００９３】
図７に示すように、スタイラスペン２２０のクリップ２２５が切欠部１３５に嵌め合わされた状態で、スタイラスペン２２０が保持部１３０ａによって保持された場合には、第１ペン保持状態検出部３３１は、スイッチ３３１ｃのボタン３３１ｃｂがクリップ２２５によって押下されていることを検出することで、スタイラスペン２２０の第１の保持状態を検出する。
【００９４】
一方、図８に示すように、スタイラスペン２２０のクリップ２２５が切欠部１３５に嵌め合わされない状態で、スタイラスペン２２０が保持された場合には、第１ペン保持状態検出部３３１は、スイッチ３３１ｃのボタン３３１ｃｂがクリップ２２５によって押下されていないことを検出することで、スタイラスペン２２０の第２の保持状態を検出する。
【００９５】
即ち、第１ペン保持状態検出部３３１は、第１の保持状態として、スタイラスペン２２０の軸周り回転状態が一の回転状態であることを検出し、第２の保持状態として、スタイラスペン２２０の軸周り回転状態が一の回転状態とは異なる他の回転状態であることを検出する。つまり、第１ペン保持状態検出部３３１は、スイッチ３３１ｃのボタン３３１ｃｂがクリップ２２５によって押下されているか否かに応じて異なる保持状態を検出することができる。
【００９６】
動作モード選択部３４０は、第１ペン保持状態検出部３３１及び第２ペン保持状態検出部３３２の各々によって検出されたスタイラスペン２２０の保持状態に応じて、装置本体１００の動作モードを選択する。
【００９７】
このように構成された第２実施形態に係る情報処理装置によれば、上述した第１実施形態に係る情報処理装置と同様に、ユーザーが、スタイラスペン２２０を装置本体１００に固定する際に、スタイラスペン２２０を固定する動作とは別の動作を行うことなく、装置本体１００の動作モードを選択でき、且つ、多様な動作モードを設定することができる。
【００９８】
また、第２実施形態に係る情報処理装置においては、スイッチ３３１ｃを凹部１３１ａの第１の端部側（即ち、図７における右側）にのみ設けたが、スイッチ３３１ｃをさらに凹部１３１ａの第２の端部側（即ち、図７における左側）にも設ければ、スタイラスペン２２０の回転状態だけでなく保持される向き（上下左右）も利用して、さらに多様な動作モードを設定することができる。
【００９９】
本発明は、上述した実施形態に限られるものではなく、特許請求の範囲及び明細書全体から読み取れる発明の要旨或いは思想に反しない範囲で適宜変更可能であり、そのような変更を伴う情報処理装置もまた本発明の技術的範囲に含まれるものである。
【符号の説明】
【０１００】
１００…装置本体、１１０…表示部、１２０…筐体、１３０、１３０ａ、１３０ｂ…保持部、１３２…磁性体、１３５…切欠部、１４０…キースイッチ、１５０…メインＣＰＵ、１６０…サブＣＰＵ、１７０…電源、１８０…バッテリー、２１０…デジタイザー本体、２２０…スタイラスペン、２２１、２２２…磁石、２２５…クリップ、３３１…第１ペン保持状態検出部、３３１ａ、３３１ｂ…磁気センサー、３３１ｃ…スイッチ、３３１ｃｂ…ボタン、３３２…第２ペン保持状態検出部、３４０…動作モード選択部、３５０…選択用動作モード設定部、３６０…ペン判定部
【図１】
2011170521.tif 000003
【図２】
2011170521.tif 000004
【図３】
2011170521.tif 000005
【図４】
2011170521.tif 000006
【図５】
2011170521.tif 000007
【図６】
2011170521.tif 000008
【図７】
2011170521.tif 000009
【図８】
2011170521.tif 000010